(57)【要約】【課題】  液面の検知精度を向上させることが可能な水位を検知する電極式水位検出装置を提供すること。【解決手段】  電極式水位検出装置２０は、水槽装置１の貯留タンク１１に貯留された水の液面Ｗに対向して保持された本体部２４と、この本体部２４の貯留タンク１１内の液面Ｗと対向する対向面（底面）２４ａから突出する対向面２４ａから液面Ｗに向って突出する第１電極棒２６と、対向面２４ａから液面Ｗに向って突出する第２電極棒２７と、対向面２４ａから液面Ｗに向って突出し、液面Ｗが第２の水位Ｈに位置するとき、その下面が液面Ｗに接触する接触部材３０をその先端に有する第３電極棒２８と、を備え、接触部材３０は、外径が第３電極棒２８の外径よりも大径に形成され、第３電極棒２８の断面積よりもその底面積が広く形成されている。【選択図】      図１
2010008379.tif 000002
【特許請求の範囲】
【請求項１】
液面の水位を検知する電極式水位検出装置において、
前記液面に対向して保持される本体部と、
この本体部の前記液面に対向する対向面から前記液面に向って突出する低位電極棒と、
前記対向面から前記液面に向って突出し、前記低位電極棒より短く形成された高位電極棒と、
この高位電極棒の先端に設けられ、前記高位電極棒の断面積よりも広い面積に形成された底面を有し、所定の水位の際に前記液面に前記底面が接触する接触部材と、を備え、
前記低位電極棒と前記高位電極棒とが水を介して通電することで、前記所定の水位を検知することを特徴とする電極式水位検出装置。
【請求項２】
前記検知した所定の水位を報知する報知手段をさらに備えることを特徴とする請求項１に記載の電極式水位検出装置。
【請求項３】
前記接触部材が設けられる電極棒の先端には、雄ねじ部が形成され、
前記接触部材は、前記雄ねじ部が螺合する雌ねじ部を有する挿入孔が設けられていることを特徴とする請求項１に記載の電極式水位検出装置。
【請求項４】
水を介して通電し、液面の水位を検知する電極式水位検出装置において、
前記液面に対向して保持される本体部と、
この本体部の前記液面に対向する対向面から前記液面に向って突出する第１電極棒と、
前記対向面から前記液面に向かって突出し、前記液面の水位が第１の水位の際に前記液面に接触し、前記第１電極棒と通電するとともに、前記第１電極棒より短く形成された第２電極棒と、
前記対向面から前記液面に向かって突出し、前記第２電極棒より短く形成された第３電極棒と、
この第３電極棒の先端に設けられ、前記第３電極棒の断面積よりも広い面積が形成された底面を有し、前記液面の水位が前記第１の水位より高い第２の水位の際に前記液面に前記底面が接触し、前記第１電極棒と前記第３電極棒とを通電させる接触部材と、を備えることを特徴とする電極式水位検出装置。
【請求項５】
前記第１の電極棒と前記第２電極棒との通電、又は、前記１電極棒と前記第３電極棒との通電により、前記第１の水位又は前記第２の水位を検知し、前記第１の水位又は前記第２の水位を報知する報知手段をさらに備えることを特徴とする請求項４に記載の電極式水位検出装置。
【請求項６】
前記第３電極棒は、その先端に雄ねじ部が形成され、
前記接触部材は、前記雄ねじ部が螺合する雌ねじ部が形成された挿入孔が設けられていることを特徴とする請求項４に記載の電極式水位検出装置。
【発明の詳細な説明】
【技術分野】
【０００１】
本発明は、水位を検知する電極式水位検出装置に関し、特に液面の検知精度を向上させることが可能なものに関する。
【背景技術】
【０００２】
現在、給水装置等に接続された受水槽や呼水槽等の貯留タンクに貯留される水の水位を検知するために、電極式水位検出装置が用いられている。このような電極式水位検出装置は、例えば、貯留タンクの天井部に固定され、音や光等により水位を報知する報知手段に接続されている。また、電極式水位検出器は、液面に向ってそれぞれ長さの異なる複数の電極棒が設けられている。これら複数の電極棒が水に接触すると、接触した電極棒に対応した水位の情報が報知手段に送信され、水位の情報が報知される。
【０００３】
このような電極式水位検出装置の一つとして、地震等により貯留タンクが揺れた際の水の波立ちであっても、水位検出の誤作動を防止する電極式水位検出装置が知られている（例えば特許文献１参照）。
【特許文献１】特開平０６−３３１４２０号公報
【発明の開示】
【発明が解決しようとする課題】
【０００４】
上述したようなポンプ装置では、次のような問題があった。即ち、電極式水位検出装置は、水中に位置する電極間に電路が形成されることで、電気が通電し、報知手段がこの通電に基いて、水位の情報を検知する、というものである。
【０００５】
しかし、水が電気を通電するためには、電解質が必要であり、この電解質が少ない場合い、所定の水位となった場合であっても、電極棒間で電気が通電しない虞がある。このような場合、電極棒が液面から一定以上接触し、初めて電極棒間が通電し、報知手段が水位の情報を検知するため、所定の水位を検知できない、という問題がある。
【０００６】
即ち、水質によっては、水位を検知するために、電極棒の端部が数ｍｍ〜数十ｍｍ程度接触する必要があるため、貯留タンクの容積や満水位置等、各部の寸法に余裕を持たせる必要があり、貯留タンクの寸法が大型となる問題があった。特に、このような貯留タンクは、給水装置の受水層や呼水槽に用いられるため、給水装置等の他の構成品とあわせると、かなりの大型化となり、設置に制限が発生する問題もある。
【０００７】
また、貯留タンク内の水が満水であっても水位を検知できず、満水警報等が報知されずにオーバーフロー等が発生する虞もある。
【０００８】
そこで本発明は、液面の検知精度を向上させることが可能な水位を検知する電極式水位検出装置を提供することを目的としている。
【課題を解決するための手段】
【０００９】
前記課題を解決し目的を達成するために、本発明の電極式水位検出装置は次のように構成されている。
【００１０】
水を介して通電し、液面の水位を検知する電極式水位検出装置において、前記液面に対向して保持される本体部と、この本体部の前記液面に対向する対向面から前記液面に向って突出する低位電極棒と、前記対向面から前記液面に向って突出し、前記低位電極棒より短く形成された高位電極棒と、この高位電極棒の先端に設けられ、前記高位電極棒の断面積よりも広い面積に形成された底面を有し、所定の水位の際に前記液面に前記底面が接触する接触部材と、を備え、前記浸水する電極棒と前記接触部材が設けられた前記電極棒とが通電することで、前記所定の水位を検知することを特徴とする。
【００１１】
水を介して通電し、液面の水位を検知する電極式水位検出装置において、前記液面に対向して保持される本体部と、この本体部の前記液面に対向する対向面から前記液面に向って突出する第１電極棒と、前記対向面から前記液面に向かって突出し、前記液面の水位が第１の水位の際に前記液面に接触し、前記第１電極棒と通電するとともに、前記第１電極棒より短く形成された第２電極棒と、前記対向面から前記液面に向かって突出し、前記第２電極棒より短く形成された第３電極棒と、この第３電極棒の先端に設けられ、前記第３電極棒の断面積よりも広い面積が形成された底面を有し、前記液面の水位が前記第１の水位より高い第２の水位の際に前記液面に前記底面が接触し、前記第１電極棒と前記第３電極棒とを通電させる接触部材と、を備えることを特徴とする。
【発明の効果】
【００１２】
本発明によれば、水位を検知する電極式水位検出装置であっても、特に液面の検知精度を向上させることが可能となる。
【発明を実施するための最良の形態】
【００１３】
図１は本発明の一実施の形態に係る電極式水位検出装置２０が組み込まれた水槽装置１の構成を示す説明図、図２は同水槽装置１に用いられる電極式水位検出装置２０の接触部材３０を示す断面図である。なお、図１中Ｄは排水水位を、Ｌは第１の水位を、Ｈは第２の水位を、Ｓは信号線をそれぞれ示している。
【００１４】
図１に示すように、水槽装置１は、水を貯留する水槽本体１０と、水槽本体１０の側面に設けられた給水配管１５と、水槽本体１０の底面に設けられた吐出配管１９と、水槽本体１０の水位を検知する電極式水位検出装置２０と、を備えている。また、水槽装置１は、水槽本体１０内の水位の異常上昇時に、排水するオーバーフロー管４０を備えている。なお、水槽装置１は、例えば、給水装置や消火ポンプ装置の受水槽や呼水槽等に用いられる。
【００１５】
水槽本体１０は、水を貯留可能な貯留タンク１１と、前記電極式水位検出装置２０を保持する保持部１２を有し、貯留タンク１１に貯留された水の液面Ｗに対向して設けられ、この貯留タンク１１の上面を覆う蓋体１３と、を備えている。
【００１６】
貯留タンク１１は、例えば用途に応じて、複数の水位が設定されている。一例として、貯留タンク１１には、図１に示すように、下限、即ち渇水と所定の水位との境目として第１の水位Ｌが、上限、即ち所定の水位と満水の水位との境目として第２の水位Ｈが設定されている。
【００１７】
給水配管１５は、貯留タンク１１の上方側面に貫通して設けられ、例えば水道管に接続され、貯留タンク１１内に水を供給可能に形成されている。また、給水配管１５は、貯留タンク１１内の水位により、給水配管１５を開閉するフロートバルブ１６を備えている。
【００１８】
フロートバルブ１６は、所謂ボールタップと呼ばれるものであり、液面に浮かぶボール１７と、このボール１７に接続され、ボール１７の昇降により可動するリンク部１８とを備えている。このフロートバルブ１６は、ボール１７が所定の高さに上昇した際に、給水配管１５を閉とする。なお、フロートバルブ１６は、例えば、第２の水位Ｈより若干低い位置で、閉とすることで、給水配管１５からの水の供給を停止可能に形成されている。
【００１９】
吐出配管１９は、貯留タンク１１の底面に設けられた吐出孔に接続されている。この吐出配管１９の延長上（下流）には、例えば給水装置や消火装置に設けられたポンプや、ポンプに設けられた吐出管に逆止弁を介して接続されている。なお、この吐出配管１９は、ポンプやポンプの吐出管だけではなく、その用途により多様な構成要素に適宜接続される。
【００２０】
電極式水位検出装置２０は、電極式水位検出器２１と、この電極式水位検出器２１に電気配線等の信号線Ｓにより接続され、検知した水位を報知する報知手段２２と、を備えている。
【００２１】
電極式水位検出器２１は、例えば、保持部１２に保持される円筒状の本体部２４と、この本体部２４の貯留タンク１１内の液面Ｗと対向する対向面（底面）２４ａから突出する電極部２５と、を備えている。本体部２４は、例えば、保持部１２に保持されるための縁部を有している。なお、保持部１２と本体部２４とに、互いに螺合する雌ねじ及び雄ねじをそれぞれ設け、螺合させることで保持する構成でも良い。
【００２２】
電極部２５は、本体部２４の液面Ｗに対向する対向面２４ａから液面Ｗに向って突出する第１電極棒（低位電極棒）２６と、対向面２４ａから液面Ｗに向って突出する第２電極棒２７と、対向面２４ａから液面Ｗに向って突出する第３電極棒（高位電極棒）２８と、を備えている。なお、第１、第２、第３電極棒２６、２７、２８は、本体部２４側の端部（根元部）に、振動等による振れを防止するとともに、本体部２４側端部での短絡を防止する被覆部２９をそれぞれ有している。また、第１、第２、第３電極棒２６、２７、２８は、互いに電路を形成可能な材料、例えばＳＵＳ３０４により形成されている。
【００２３】
第１電極棒２６は、貯留タンクに貯留された水の液面Ｗが第１の水位Ｌであっても、その先端が液中に所定の長さ、例えば数十ｍｍ以上浸水する長さに形成されている。また、第１電極棒２６は、報知手段２２から電流が印加される。第２電極棒２７は、液面Ｗが第１の水位Ｌに位置するとき、その先端が液面Ｗに接触する長さに形成されている。
【００２４】
図１，２に示すように、第３電極棒２８は、先端に雄ねじ部２８ａを有し、液面Ｗが第２の水位Ｈに位置するとき、その下面が液面Ｗに接触する接触部材３０が雄ねじ部２８ａに螺合されている。また、第３電極棒２８は、その長さが、接触部材３０の底面が第２の水位Ｈ時の液面Ｗに接触する長さに形成されている。即ち、電極部２５は、第１電極棒２６が第２電極棒２７及び第３電極棒２８より長く、第２電極棒２７が第３電極棒２８より長く、第３電極棒２８が一番短くそれぞれ形成されている。このため第１電極棒２６の先端が、貯留タンク１１内の低位に、第３電極棒２８の先端が貯留タンク１１内の高位に位置することとなる。
【００２５】
接触部材３０は、外径が第３電極棒２８の外径よりも大径、且つ、底面が平滑な円筒形状に形成され、その内面に、第３電極棒２８の雄ねじ部２８ａが螺合する雌ねじ部が形成された挿入孔３０ａを有している。また、接触部材３０は、第３電極棒２８と同一部材、例えばＳＵＳ３０４により形成されている。なお、接触部材３０の外径は、第３電極棒２８の断面積よりもその底面積が広く形成され、且つ、その底面積が液面Ｗに接触した際に、第１電極棒２６と確実に電路を形成可能な面積であればよい。また、接触部材３０の形状は、円筒形状でなくとも、例えば六角柱や四角柱等の形状でもよく、挿入孔３０ａは、貫通するねじ孔であってもよい。さらに、接触部材３０の底面は、液面Ｗへの接触面積を増大させるために、浅い凹凸を有する形状であってもよい。
【００２６】
報知手段２２は、水位の情報として、信号線Ｓを介して第１電極棒２６に流した電流が、液中（水）を介して第２電極棒２７及び第３電極棒２８と電路を形成したとき、及び、電路を形成しないときの水位情報を報知可能な報知部３２を備えている。
【００２７】
報知部３２は、第１報知部３３と、第２報知部３４と、第３報知部３５と、を備えており、報知手段２２は、水位情報に基いて、報知部３２に電流を流す報知回路を有している。ここで、第１電極棒２６及び第３電極棒２８が液中で電路を形成しているとき、第１電極棒２６及び第２電極棒２７の間にも電路を形成することとなる。しかし、報知回路は、第１電極棒２６及び第３電極棒２８の電路を優先する回路に形成されている。なお、報知回路は適宜設定可能であり、その詳細は省略する。
【００２８】
第１報知部３３は、例えば、液面Ｗの高さが、第１の水位Ｌ未満の際に、第１電極棒２６と第２電極棒２７間に電路が形成されないことで、貯留タンク１１内の水が渇水水位である旨を例えば光等により報知可能に形成されている。
【００２９】
第２報知部３４は、液面Ｗの高さが第１の水位Ｌ以上、第２の水位Ｈ未満の際に、第１電極棒２６と第２電極棒２７とに電路が形成されることで、貯留タンク１１内の水が所定水位である旨を例えば光等により報知可能に形成されている。
【００３０】
第３報知部３５は、液面Ｗの高さが第２の水位Ｈ以上、の際に、第１電極棒２６と第３電極棒２８とに電路が形成されることで、貯留タンク１１内の水が満水水位である旨を例えば光及び音により報知可能に形成されている。即ち、第３報知部３５は、所謂満水警報を発することが可能に形成されている。
【００３１】
オーバーフロー管４０は、第２の水位Ｈ以上に、水位が上昇、例えば、吐出配管１９からの水の逆流やフロートバルブ１６の故障等による異常水位の場合、貯留タンク１１内の水を排出可能な高さにその上端開口部４１が形成されている。即ち、オーバーフロー管４０は、第２の水位Ｈより高い位置に上端開口部４１が配置され、液面Ｗが上端開口部４１を超える水位（以下、「排水水位Ｄ」）の場合に、上端開口部４１から水を排水可能に形成されている。
【００３２】
なお、図１中、オーバーフロー管４０の上方に、給水配管１５が配置する図となっているが、オーバーフロー管４０と給水配管１５とは、水平方向に位置がずれて配置されている。即ち、給水配管１５から供給される水は、直接オーバーフロー管４０に入らない構成となっている。
【００３３】
このように構成された水槽装置１は、先ず、給水配管１５から水が貯留タンク１１内に供給される。このとき、貯留タンク１１内の液面Ｗの水位が、第１の水位Ｌより低い場合には、第１電極棒２６が液面又は液中への接触如何に係らず、報知回路が渇水水位と判断し、第１報知部３３により水位情報を報知する。
【００３４】
次に、給水配管１５から供給された水が貯留され、第１の水位Ｌまで貯留されると、第２電極棒２７が液面Ｗに接触し、第１電極棒２６と第２電極棒２７との間に電路が形成され、通電することとなる。この第１電極棒２６と第２電極棒２７との通電により、報知回路は、貯留タンク１１内の液面水位が、所定水位であることを判断し、第１報知部３３の報知を停止し、第２報知部３４により、所定の水位であることを報知する。
【００３５】
この状態でさらに給水配管１５は、水を貯留タンク１１内へと供給を続け、第２の水位Ｈより若干低い水位のときに、ボール１７が浮遊することで上昇し、リンク部１８によりフロートバルブ１６が閉じられる。これにより、給水配管１５からの水の供給が停止されることとなる。
【００３６】
例えば、このように、貯留タンク１１内の水位が所定の位置となったら、報知手段２２は、この情報を給水装置や消火装置等の制御盤へと、情報を送付し、この情報を基に、給水装置又は消火装置の運転の開始や、作動等がなされる。
【００３７】
また、例えば、消火装置の呼水用に水槽装置１が用いられる場合には、消火装置のポンプが消火装置の制御盤により駆動される。このとき、ポンプ内に呼水として、貯留タンク１１内の水が流入し、呼水が行なわれる。
【００３８】
呼水として用いられた水量だけ貯留タンク１１内の水は下降するため、ボール１７もこれに伴って下降する。ボール１７の下降により、リンク部１８が可動し、フロートバルブ１６が開となり、再度、給水配管１５から貯留タンク１１内に水が供給されることとなる。このような繰返しにより、水槽装置１が用いられる。
【００３９】
次に、貯留タンク１１内の液面Ｗの水位が、所定の水位（第２の水位Ｈ）より上昇した場合について説明する。  
例えば、フロートバルブ１６の故障により、所定の水位であって、フロートバルブ１６の閉位置にボール１７が上昇しても、フロートバルブ１６が開を維持した場合には、液面水位は、第２の水位Ｈである満水水位となる。
【００４０】
このとき、第３電極棒２８の接触部材３０の底面が、液面Ｗに接触する。接触部材３０の液面Ｗへの接触により、第１電極棒２６と第３電極棒２８との間に電路が形成され、第３報知部３５により、貯留タンク１１内が満水水位であることを満水警報が報知される。この満水警報により、例えば設備作業者や管理者が、満水を回避する手段を用いる。なお、この状態で、例えば給水配管１５から水が供給され続けると、排水水位Ｄまで液面Ｗが上昇し、オーバーフロー管４０の上端開口部４１から、水が排出されることとなる。このように、報知手段２２により貯留タンク１１内の液面Ｗの位置（水位）を、例えば、給水装置や消火装置等の設備作業者や管理者に報知することとなる。
【００４１】
このように構成された水槽装置１及び電極式水位検出装置２０によれば、第３電極棒２８に設けられた接触部材３０により、第２の水位Ｈに接触するだけで精度良く水位を検知することが可能となる。また、第２の水位Ｈを精度良く検知可能とすることで、確実に第３報知部３５により満水水位であることを設備作業者や管理者に報知可能となり、水槽装置１の満水による不具合、例えば、水漏れや各部の故障を判断することが可能となる。
【００４２】
これは、接触部材３０の底面積は、各電極棒２６、２７、２８の底面積（断面積）より広く形成されており、液面Ｗが上昇した際に、液面Ｗにより大きな面積である接触部材３０の底面で接触することが可能となる。このため、各電極棒２６、２７、２８の、精度良く第２の水位Ｈを検知可能となる。
【００４３】
詳しく述べると、上述にもあるように、電極式水位検出装置２０は、電極部２５の各電極棒２６、２７、２８管の通電を、水に電路を形成して行なうことで、水位を検知するものである。しかし、水を介して（水中に電路を形成して）通電させるためには、水に電解質が含有されている必要がある。即ち、水の電気伝導率は、電解質により変化するため、水槽装置１の使用条件によっては、水の電気伝導率は異なってくる。
【００４４】
塩素濃度が高めの水道水等の水は、電気伝導率は一般的には高く、各電極棒２６、２７、２８間に電路を形成して通電させることは容易である。しかし、純水や蒸留水では電気伝導率は低く、また、例え水道水であっても、地方等の水道水では、塩素濃度も低く、電気伝導率が低い場合がある。
【００４５】
このような電気伝導率の低い水を用いた場合には、例えば、液面Ｗの水位が第１の水位Ｌに上昇した際に、第１電極棒２６が浸水し、第２電極棒２７が液面Ｗに接触したとしても、第１電極棒２６と第２電極棒２７の先端とには電路は形成されない、即ち、通電しないことがある。このため、第１の水位Ｌとなっても、所定の水位（第１の水位Ｌ）である旨の判断が成されずに、渇水であると、第１報知部３３は報知することとなる。
【００４６】
しかし、電気伝導率の低い水であっても、第２電極棒２７が液面Ｗから一定距離、例えば数ｍｍ〜数十ｍｍ浸水すると、水に接触する表面積が大きく（広く）なる。第２電極棒２７の水に接触する表面積が広くなると、第１電極棒２６と第２電極棒２７との間が通電し、第２報知部３４により所定の水位と報知されることとなる。このように、第２電極棒２７の先端から所定距離浸水してから電路が形成されて通電すると、第１の水位Ｌの検知精度が低下することとなる。
【００４７】
しかし、電気伝導率の低い水を用いた場合に、渇水かどうかの判断を行うための第２電極棒２７の検知精度が低下していても、給水配管１５による水の供給は維持されるため、一定時間経過後（一定水位上昇後）所定の水位であると判断される。このため、第１の水位Ｌの検知精度が低下しても、あまり問題にはならない。
【００４８】
しかし、ここで、第２の水位Ｈである満水水位では、第２の水位Ｈ以上に水位が上昇すると、オーバーフロー管４０から、水が排出されてしまう。このため、貯留タンク１１内の水位が第２の水位Ｈとなった場合、確実に第２の水位Ｈでの液面を検知する必要がある。
【００４９】
特に、第２の水位Ｈと排水水位Ｄとの差が殆どないとき等は、第３電極棒２８が、数ｍｍ〜数十ｍｍ程度浸水してから第１電極棒２６と通電すると、第３報知部３５により満水警報を報知がなされる前に、オーバーフロー管４０から水が排水される虞がある。また、オーバーフロー管４０から排水されていても、第３電極棒２８の水に接触する面積が小さいがために、満水警報が報知されない虞もある。
【００５０】
このようなことを防止するために、例えば、第３電極棒２８を、第２電極棒２７と同様に、数ｍｍ〜数十ｍｍ程度浸水してから満水である旨を報知する構成とすると、満水後の水位に余裕が必要となるため、貯留タンク１１の容積や高さを大きくする必要があり、水槽装置１の形状が大きくなる問題がある。
【００５１】
しかし、本発明の第３電極棒２８は、上述したように、貯留タンク１１内の水位が第２の水位Ｈで液面Ｗに接触部材３０が接触する構成となっている。このように、接触部材３０の底面積を広くするが可能となる。なお、接触部材３０は、その底面積を変える事で、第２電極棒２７等が数ｍｍ〜数十ｍｍ程度浸水した際の、浸水部の面積と同等、又はそれ以上とすることが可能となる。
【００５２】
このため、第２の水位Ｈに液面Ｗが上昇した際に、接触部材３０の底面が液面Ｗに接触するだけで、確実に、第１電極棒２６と第３電極棒２８との間に電路を形成し、通電させることで、第３報知部３５により満水警報を報知することが可能となる。
【００５３】
また、確実に報知手段２２により水位の情報を報知可能となるため、水位に余裕をもたせる必要がなくなり、貯留タンク１１の容量は必要な容量だけでよく、水槽本体１０を小型とすることが可能となる。
【００５４】
上述したように、本実施の形態に係る水槽装置１及び電極式水位検出装置２０によれば、第３電極棒２８に接触部材３０を設け、液面Ｗに接触する面積を増大させることで、液面Ｗを確実に検知することが可能となり、検知精度を向上させることとなる。
【００５５】
また、第３電極棒２８の先端に接触部材３０を設ける構成のため、コストを増大させることなく、電極式水位検出装置２０の水位検知精度を向上することが可能となる。さらに、接触部材３０により、液面Ｗへの接触面積を増大させることで、電気伝導率の異なる水であっても、同様の精度で水位を検知することが可能となる。
【００５６】
さらに、電極式水位検出装置２０を水槽装置１に用いることで、確実に第２の水位Ｈを検知可能となり、満水時に精度良く満水警報を発することによるオーバーフローの防止が可能となる。また、電極式水位検出装置２０を水槽装置１に用いることで、水槽装置１の小型化にもなる。
【００５７】
なお、本発明は前記実施の形態に限定されるものではない。例えば、上述したように満水水位の検知精度を向上させるために、接触部材３０は第３電極棒２８のみに設ける構成としたが、これに限るものではない。例えば、電極式水位検出装置２０の使用方法によっては、第１の水位Ｌの検知にも高い精度を必要とする場合もある。第１の水位Ｌの検知に高い精度を有する場合には、第２電極棒２７の先端部に雄ねじ部を設け、第２電極棒２７の先端部に接触部材３０を設ければよく、これにより、第２電極棒２７の検知精度も向上する。
【００５８】
また、上述した例では、電極式水位検出装置２０により検知する水位は、第１の水位Ｌ、第２の水位Ｈの２つの水位としたが、これに限られるものではなく、複数、例えばさらに、第３の水位を用いる構成としてもよい。また、上述した、上端開口部４１から排水するための排水水位を、電極式水位検出装置２０により検知し、オーバーフロー管４０から排水している旨を報知手段２２により報知する構成でもよい。これらの場合では、本体部２４から突出する電極棒を増やし、必要に応じて接触部材３０を設ければ複数個所の水位を検知可能であって、低コスト、且つ、精度の高い電極式水位検出装置とすることが可能となる。
【００５９】
さらに、電極部に設ける接触部材３０は、第３電極棒２８と接触部材３０とにそれぞれねじ部を形成し、このねじ部を互いに螺合することにより固定するとしたが、これに限られるものではない。例えば、接触部材を分割し、組立式としてもよく、また、導電性を有する接着剤を用いる構成としてもよい。また、このような接着剤を、第３電極棒２８と接触部材３０とのねじ部に塗布後、これらねじ部を螺合することで、第３電極棒２８に接触部材３０を強固に固定してもよい。
【００６０】
他にも、上述した構成では、報知手段２２を有する構成としたが、例えば、給水装置や消火装置に用いる場合には、これら給水装置や消火装置等の制御盤を、報知手段２２の機能を有するものとしてもよい。即ち、報知手段２２は、電極式水位検出器２１により検出した水位の情報を、外部に報知可能であれば良く、光や音に限らず、例えば、制御盤に接続されたＰＣ等に、その情報を送信する構成であっても勿論よい。この他、本発明の要旨を逸脱しない範囲で種々変形実施可能である。
【図面の簡単な説明】
【００６１】
【図１】本発明の一実施の形態に係る電極式水位検出装置が組み込まれた水槽装置の構成を示す説明図。
【図２】同水槽装置に用いられる電極式水位検出装置の接触部材を示す断面図。
【符号の説明】
【００６２】
１…水槽装置、１０…水槽本体、１１…貯留タンク、１２…保持部、１３…蓋体、１５…給水配管、１６…フロートバルブ、１７…ボール、１８…リンク部、１９…吐出配管、２０…電極式水位検出装置、２１…電極式水位検出器、２２…報知手段、２４…本体部、２４ａ…対向面、２５…電極部、２６…電極棒、２７…電極棒、２８…電極棒、２９…被覆部、３０…接触部材、３０ａ…挿入孔、３２…報知部、３３…報知部、３４…報知部、３５…報知部、４０…オーバーフロー管、４１…上端開口部、Ｄ…排水水位、Ｌ…第１の水位、Ｈ…第２の水位、Ｓ…信号線、Ｗ…液面。
【図１】
2010008379.tif 000003
【図２】
2010008379.tif 000004